(57)【要約】【課題】排水中のＳＳをＳＳ除去用フィルタで除去することができると共に適正に切り換えることができる排水処理装置を提供する。【解決手段】ＳＳ又はＳＳと硫安を含んだ排水を処理する排水処理装置において、ＳＳ又は硫安を含んだ排水或いは硫安を分解した排水を濾過するための複数台のＳＳ濾過器１２ａ〜１２ｄと、各ＳＳ濾過器１２ａ〜１２ｄに設けられ、濾過中のＳＳ除去用フィルタ１６ａ〜１６ｄの目詰まりを検出する目詰まり検出手段４６ａ〜４６ｄと、各ＳＳ濾過器１２ａ〜１２ｄの目詰まり検出手段４６ａ〜４６ｄの検出値が入力され、目詰まりが生じたとき他のＳＳ濾過器１２ａ〜１２ｄに排水の流れを切り換える切換制御手段５０とを備えたものである。【選択図】        図１
2004261692.tif 000002
【特許請求の範囲】
【請求項１】
少なくともＳＳを含んだ排水を処理する排水処理装置において、硫安を含んだ排水或いは硫安を分解した排水を濾過するための複数台のＳＳ濾過器と、各ＳＳ濾過器に設けられ、濾過中のＳＳ除去用フィルタの目詰まりを検出する目詰まり検出手段と、各ＳＳ濾過器の目詰まり検出手段の検出値が入力され、目詰まりが生じたとき他のＳＳ濾過器に排水の流れを切り換える切換制御手段とを備えたことを特徴とする排水処理装置。
【請求項２】
各ＳＳ濾過器には、空気供給ライン、ＳＳ除去用フィルタにプリコート剤をプリコートするためのプリコート剤供給ラインが接続され、切換制御手段は、目詰まりしたＳＳ濾過器から他のＳＳ濾過器に排水の流れを切り換えた後、その目詰まりしたＳＳ濾過器内の排水を排出した後、空気乾燥、ケーキ排出、プリコート剤の供給を行うように空気供給ライン、プリコート剤供給ラインを切り換えて濾過準備を行う請求項１記載の排水処理装置。
【請求項３】
ＳＳ濾過器は、優先順位が設定され、目詰まりによる排水の切換時、ＳＳ濾過器が濾過準備を完了しているＳＳ濾過器中、優先順位の高いＳＳ濾過器に排水を流すように切り換える請求項２記載の排水処理装置。
【請求項４】
ＳＳを含んだ排水を複数台のＳＳ濾過器の任意の一台を用いて濾過し、その濾過後のＳＳ濾過器内のＳＳ除去用フィルタに付着したＳＳを乾燥、排出した後、ＳＳ除去用フィルタを洗浄し、さらにそのＳＳ除去用フィルタにプリコート剤を塗布して再度使用するための排水処理装置であって、複数のＳＳ濾過器に排水を供給する排水供給ラインと、そのＳＳ濾過器で濾過された排水を排出する排水ラインと、ＳＳ濾過器内にケーキ乾燥用と洗浄用空気を供給する空気供給ラインと、ＳＳ濾過器内にプリコート剤を供給するプリコート剤供給ラインと、その各ラインに接続された開閉弁と、排水供給ラインと排水ラインとの差圧等から運転中のＳＳ濾過器のＳＳ除去用フィルタの目詰まりを検出する目詰まり検出手段とを備え、目詰まり検出手段で目詰まりを検出したときに他のＳＳ濾過器に排水を流すべく排水供給ラインと排水ラインの開閉弁を切り換えると共に、その目詰まりしたＳＳ除去用フィルタをケーキ乾燥、排出、洗浄すべく各ラインの開閉弁を切り換える切換制御手段とを備えた請求項１〜３いずれかに記載の排水処理装置。
【発明の詳細な説明】
【０００１】
【発明の属する技術分野】
本発明は、脱硫排水からＳＳを除去するための排水処理装置に関するものである。
【０００２】
【従来の技術】
燃焼排ガスを脱硫・脱硝する排煙処理設備からの排水中には、未燃カーボンや重金属分を含む灰分など、数百ｐｐｍのＳＳ（懸濁物質）が含まれると共に、硫安が溶存している。
【０００３】
従来、この脱硫排水処理は、脱硫排水に石灰を添加してアンモニアをストリッピングし、その後、蒸発濃縮、分級を行うもの（特許文献１）、脱硫排水に凝集剤を加えてＳＳを凝集させ、これを膜分離装置で分離させるもの（特許文献２）などがある。
【０００４】
【特許文献１】
特開２００２−１１９９９５号公報
【特許文献２】
特開平１０−８５７４２号公報
【特許文献３】
特開平９−９４４２１号公報
【０００５】
【発明が解決しようとする課題】
しかしながら、脱硫排水に新たに石灰を加えたのでは、再度その排水のＳＳ濃度を高めることとなり、また凝集剤を加えて凝集させ、これを膜分離装置で分離させたのでは、処理時間がかかる問題がある。
【０００６】
そこで、排水を濾過器に導入し、その濾過器内に設けたＳＳ除去用フィルタを通してＳＳ分を除去し、その除去後の排水をアンモニアストリップ塔に供給して硫安を分解し、アンモニアをオフガスとすると共に硫酸を含む排水を回収処理することが検討されているが、現状では、脱硫排水中のＳＳ除去をフィルタで行うことはなされていない。
【０００７】
通常、排ガスの集塵機に用いられるバグフィルタのように、フィルタが目詰まりを起こしたときには、排ガスの通る方向と逆方向に圧縮空気を供給して逆洗浄を行えば、フィルタに付着した粉塵を除去することができるが、含水分がある粉塵の場合には、その除去が困難となる（特許文献３）。
【０００８】
すなわち、水中に懸濁したＳＳ分をＳＳ除去用フィルタで除去するにおいて、目詰まりしたフィルタを、従来のバグフィルタのように圧縮空気の逆洗で簡単に清掃することは困難である。
【０００９】
特に、排水中に懸濁したＳＳを除去するＳＳ除去用フィルタは、フィルタ入口液のＳＳ負荷量によりフィルタ内の汚れ、詰まり状況が異なってくるため、出口液のＳＳ濃度制御、フィルタの濾過準備頻度が安定しない問題がある。またポンプ類の動力を無駄に消費するケースが発生する。
【００１０】
すなわち、排水中のＳＳ濃度は、例えばボイラが１００％の負荷運転の際には７００〜９００ｐｐｍであり、７５％負荷運転では４５０〜５８０ｐｐｍとボイラの負荷状況により変動するため、濾過時間が一定ではなく、またＳＳ除去用フィルタに付着したＳＳ除去とフィルタ洗浄の濾過準備は、数時間を必要とするため、これらＳＳ濾過器を適正に切り換える必要がある。
【００１１】
そこで、本発明の目的は、上記課題を解決し、排水中のＳＳをＳＳ除去用フィルタで除去することができると共に適正に切り換えることができる排水処理装置を提供することにある。
【００１２】
【課題を解決するための手段】
上記目的を達成するために本発明は、請求項１の発明は、少なくともＳＳを含んだ排水を処理する排水処理装置において、硫安を含んだ排水或いは硫安を分解した排水を濾過するための複数台のＳＳ濾過器と、各ＳＳ濾過器に設けられ、濾過中のＳＳ除去用フィルタの目詰まりを検出する目詰まり検出手段と、各ＳＳ濾過器の目詰まり検出手段の検出値が入力され、目詰まりが生じたとき他のＳＳ濾過器に排水の流れを切り換える切換制御手段とを備えた排水処理装置である。
【００１３】
請求項２の発明は、各ＳＳ濾過器には、空気供給ライン、ＳＳ除去用フィルタにプリコート剤をプリコートするためのプリコート剤供給ラインが接続され、切換制御手段は、目詰まりしたＳＳ濾過器から他のＳＳ濾過器に排水の流れを切り換えた後、その目詰まりしたＳＳ濾過器内の排水を排出した後、空気乾燥、ケーキ排出、プリコート剤の供給を行うように空気供給ライン、プリコート剤供給ラインを切り換えて濾過準備を行う請求項１記載の排水処理装置である。
【００１４】
請求項３の発明は、ＳＳ濾過器は、優先順位が設定され、目詰まりによる排水の切換時、ＳＳ濾過器が濾過準備を完了しているＳＳ濾過器中、優先順位の高いＳＳ濾過器に排水を流すように切り換える請求項２記載の排水処理装置である。
【００１５】
請求項４の発明は、ＳＳを含んだ排水を複数台のＳＳ濾過器の任意の一台を用いて濾過し、その濾過後のＳＳ濾過器内のＳＳ除去用フィルタに付着したＳＳを乾燥、排出した後、ＳＳ除去用フィルタを洗浄し、さらにそのＳＳ除去用フィルタにプリコート剤を塗布して再度使用するための排水処理装置であって、複数のＳＳ濾過器に排水を供給する排水供給ラインと、そのＳＳ濾過器で濾過された排水を排出する排水ラインと、ＳＳ濾過器内にケーキ乾燥用と洗浄用空気を供給する空気供給ラインと、ＳＳ濾過器内にプリコート剤を供給するプリコート剤供給ラインと、その各ラインに接続された開閉弁と、排水供給ラインと排水ラインとの差圧等から運転中のＳＳ濾過器のＳＳ除去用フィルタの目詰まりを検出する目詰まり検出手段とを備え、目詰まり検出手段で目詰まりを検出したときに他のＳＳ濾過器に排水を流すべく排水供給ラインと排水ラインの開閉弁を切り換えると共に、その目詰まりしたＳＳ除去用フィルタをケーキ乾燥、排出、洗浄すべく各ラインの開閉弁を切り換える切換制御手段とを備えた請求項１〜３いずれかに記載の排水処理装置である。
【００１６】
【発明の実施の形態】
以下、本発明の好適な一実施形態を添付図面に基づいて詳述する。
【００１７】
図１において、１０は、排水ライン１１から供給される排水を収容する排水タンク、１２ａ〜１２ｄは、排水中のＳＳを除去するＳＳ濾過器、１３はアンモニアストリッピング塔、１４ａ、１４ｃはプリコート剤タンクである。
【００１８】
この図１のＳＳ濾過器１２ａ〜１２ｄと排水タンク１０及びプリコート剤タンク１４との接続関係を図２により説明する。
【００１９】
図２に示すように、ＳＳ濾過器１２は、密閉状に形成した円筒容器１５内に、円筒状に形成したＳＳ除去用フィルタ１６が複数設けられて形成される。このＳＳ除去用フィルタ１６は、詳細は図示していないが筒状の籠体を覆うように設けられ、その籠体が、円筒容器１５内上部に設けたヘッダ１７で支持されると共にヘッダ１７とＳＳ除去用フィルタ１６内が連通するように設けられている。
【００２０】
排水タンク１０からの排水は、排水ポンプ１８より排水供給ライン１９を介して、円筒容器１５の下部に設けた下部ライン２０からＳＳ濾過器１２内に導入されるようになっており、その排水供給ライン１９に、流量調整弁２１、排水供給用開閉弁２２が接続される。
【００２１】
ヘッダ１７には、ヘッダライン２３が接続され、そのヘッダライン２３にヘッダ側開閉弁２４が接続される。ヘッダライン２３は、排水側開閉弁２５を介して排水ライン２６が接続される。
【００２２】
下部ライン２０は、ドレン用開閉弁２７を介してドレンライン２８が接続され、そのドレンライン２８が排水タンク１０に接続され、またドレンライン２８から分岐してプリコート剤タンク１４にドレンやプリコート剤を戻すプリコート戻しライン２９が接続される。この分岐部の下流側には排水側ドレン開閉弁３０とプリコート側ドレン開閉弁３１が接続される。
【００２３】
プリコート剤タンク１４内には、プリコート剤としての珪藻土と水が供給され、攪拌機３２にてプリコート剤のスラリとされる。このプリコート剤スラリは、プリコート供給ポンプ３３よりプリコート剤供給ライン３４、下部ライン２０を介してＳＳ濾過器１２内に導入できるようにされる。このプリコート剤供給ライン３４には、プリコート開閉弁３５が接続される。
【００２４】
円筒容器１５の上側部には、上部ライン３６が接続され、そのライン３６に空気供給ライン３７が接続される。この空気供給ライン３７には、乾燥用空気開閉弁３８が接続される。また空気供給ライン３７とヘッダライン２３とを結んで、ＳＳ除去用フィルタ１６に乾燥用空気や洗浄用空気を供給するケーキ排出用ライン３９が接続され、そのライン３９にケーキ排出用開閉弁４０が接続される。
【００２５】
上部ライン３６には、空気排出用開閉弁４１を介して空気排出ライン４２が接続され、その空気排出ライン４２がドレン用開閉弁２７の下流側のドレンライン２８に接続される。
【００２６】
ヘッダライン２３には、上部ドレン用開閉弁４３を介して上部ドレンライン４４が接続され、そのライン４４がドレンライン２８に接続される。
【００２７】
ＳＳ濾過器１２には、ケーキを排出するケーキ排出用開閉弁４５が接続される。
【００２８】
排水供給ライン１９と排水ライン２６の圧力差からＳＳ除去用フィルタ１６の目詰まりを検出する目詰まり検出手段４６が設けられる。
【００２９】
目詰まり検出手段４６の検出値は、切換制御手段５０に入力される。切換制御手段５０は、各開閉弁２２、２４、２５、２７、３０、３１、３５、３８、４０、４１、４３及び４５を、それぞれ開閉制御するようになっている。
【００３０】
さて、図１において、各ＳＳ濾過器１２ａ〜１２ｄに対する排水タンク１０とプリコート剤タンク１４との接続関係は図２で説明した通りであり、図２に対応した各ラインと開閉弁の符号にａ〜ｄを付して示した。
【００３１】
この図１において、排水タンク１０は、１台で、プリコート剤タンク１４は２台とする。このプリコート剤タンク１４は一台でもよい。
【００３２】
ＳＳ濾過器１２ａ、１２ｂ側の排水ライン２６ａ、２６ｂと、ＳＳ濾過器１２ｃ、１２ｄの排水ライン２６ｃ、２６ｄとは合流され、弁５１、５２を介して合流排水ライン５３に接続され、その合流排水ライン５３がアンモニアストリッピング塔１３の上部に接続される。この合流排水ライン５３には、混合器５４、予熱器５５が接続される。
【００３３】
混合器５４には、苛性ソーダタンク５６からポンプ５７、苛性ソーダ供給ライン５８を介して苛性ソーダが供給され、そのライン５８に接続した流量調整弁５９で苛性ソーダの供給流量が調整されるようになっている。
【００３４】
アンモニアストリッピング塔１３は、混合器５４により排水に苛性ソーダを混合することにより硫安をアンモニアと硫酸ナトリウムに分解した上で、その下部からスチームライン６０、圧力調整弁６１にて供給された蒸気で分解されたアンモニアを同伴除去するもので、その頂部からオフガスライン６２を介してアンモニアが排出され、また下部より硫酸を含む廃液が廃液ライン６３により、廃液ポンプ６４にて予熱器５５を通し、排水処理系６５に排出されるようになっている。
【００３５】
このアンモニアストリッピング塔１３には、硫酸タンク６６よりポンプ６７、硫酸ライン６８を介し、廃液ライン６３、廃液ポンプ６４、予熱器５５より排水処理系６５から分岐した分岐ライン６９と弁７０を介して混合器５４の下流側の合流排水ライン５３を介して硫酸が供給できるようになっており、その硫酸で、アンモニアストリッピング塔１３内に発生したスケールを硫酸で除去できるようになっている。
【００３６】
この図１の排水処理装置においては、排水は、排水タンク１０に溜められ、ＳＳ濾過器１２ａ〜１２ｄのいずれかを通って、合流排水ライン５３を介してアンモニアストリッピング塔１３に供給される運転の他に、排水を、先ずアンモニアストリッピング塔１３に供給して硫安を分解した後、その排水をＳＳ濾過器１２ａ〜１２ｄのいずれかに供給してＳＳを濾過する運転ができるようになっている。
【００３７】
これを説明すると、排水は、排水ライン１１より弁７１にて分岐した分岐排水ライン７２から、混合器５４の上流側の合流排水ライン５３に流入するようにされ、混合器５４，予熱器５５を通してアンモニアストリッピング塔１３に供給され、アンモニアが除去された後、その下部の廃液ライン６３より、廃液ポンプ６４にて予熱器５５を通し、排水処理系６５から、その排水処理系６５に接続した排水戻しライン７３より排水タンク１０に溜められ、その後、排水タンク１０からＳＳ濾過器１２ａ〜１２ｄのいずれかに供給されるようになっている。
【００３８】
またＳＳ濾過器１２ａ〜１２ｄのいずれかでＳＳが除去された排水は、排水ライン２６から合流排水ライン５３に流し、その合流排水ライン５３より弁７４を介して分岐した分岐排水処理系７５より排水するか、或いは、ＳＳ濾過器１２ａ〜１２ｄでＳＳが除去された排水を、ヘッダライン２３ａ〜２３ｄより、上部ドレンライン４４ａ〜４４ｄ、ドレンライン２８ａ、２８ｃからプリコート戻しライン２９ａ、２９ｂから後述するプリコート工程を行っていないプリコート剤タンク１４ａ又は１４ｃに溜め、そのプリコート剤タンク１４ａ又は１４ｃからプリコート供給ポンプ３３ａ又は３３ｃより、プリコート剤供給ライン３４ａ又は３４ｃ、開閉弁７８ａ又は７８ｃを介し給液ライン８０により吸収塔に給液するようになっている。
【００３９】
なお、排水ライン２６ａ、２６ｂと、排水ライン２６ｃ、２６ｄの合流部と排水タンク１０を結んで弁７６、戻しライン７７が接続され、ＳＳ濾過器１２ａ〜１２ｄで、いずれかのＳＳ濾過器１２ａ〜１２ｄでのＳＳ濾過が不十分なときには、その液を排水タンク１０に戻すことができるようになっている。
【００４０】
また、８１は、オフガスライン６２に接続した圧力調整弁、８２，８３は、排水処理系６５と排水戻しライン７３を切り換える弁、８４は分岐排水処理系７５に接続した排水用開閉弁である。
【００４１】
次に、ＳＳ濾過器１２における濾過工程と濾過準備時の各工程を図２により説明する。
【００４２】
濾過工程；
排水供給用開閉弁２２とヘッダ側開閉弁２４と排水側開閉弁２５を開とする。
【００４３】
排水タンク１０内の排水は、排水ポンプ１８より、排水供給ライン１９より流量調整弁２１で流量制御されて排水供給用開閉弁２２を通し下部ライン２０にてＳＳ濾過器１２内に導入され、ＳＳ除去用フィルタ１６でＳＳ分が除去される。ＳＳ除去用フィルタ１６を通った排水は、ヘッダ１７からヘッダライン２３、ヘッダ側開閉弁２４を通り、排水側開閉弁２５を通って排水ライン２６に流れてアンモニアストリッピング塔１３へ供給される。
【００４４】
濾過工程で目詰まりしたＳＳ濾過器１２は、他のＳＳ濾過器に切り換えられて濾過準備が行われる。この濾過準備の各工程を説明する。
【００４５】
ドレン工程；
先ず目詰まりしたＳＳ濾過器１２内に溜まっている排水を排水タンク１０に戻すべく、ドレンライン２８のドレン用開閉弁２７と排水側ドレン開閉弁３０が開とされ、空気供給ライン３７の乾燥用空気開閉弁３８を開とすることで、空気供給ライン３７からの空気は、上部ライン３６を通してＳＳ濾過器１２の上部に供給されるため、その圧力でＳＳ濾過器１２内の排水は、下部ライン２０からドレンライン２８を通して排水タンク１０に戻されてＳＳ濾過器１２内の排水が除去される。
【００４６】
ケーキ乾燥工程；
ＳＳ濾過器１２内のＳＳ除去用フィルタ１６にはＳＳが層状に付着しており、これを空気供給ライン３７の空気で乾燥する。すなわち乾燥用空気開閉弁３８を開のままとし、ヘッダ側開閉弁２４と、上部ドレン用開閉弁４３を開とし、またドレン用開閉弁２７を閉じ、排水側ドレン開閉弁３０を開状態に保つことで、上部ライン３６からＳＳ濾過器１２内に入った空気がＳＳ除去用フィルタ１６の外側から内側を通ることで乾燥が行われ、その後、水分を吸収した空気が、ヘッダ１７からヘッダライン２３、上部ドレンライン４４を通り、ドレンライン２８を通って排水タンク１０に流れる。
【００４７】
ケーキ排出工程；
ＳＳ濾過器１２の下部のケーキ排出用開閉弁４５を開とし、乾燥用空気開閉弁３８を閉じ、空気排出用開閉弁４１を開とし、ケーキ排出用開閉弁４０を開とし、ヘッダ側開閉弁２４を開状態に保ち、排水側ドレン開閉弁３０を開状態に保つことで、空気供給ライン３７からの空気は、ケーキ排出用ライン３９からヘッダライン２３、ヘッダ１７からＳＳ除去用フィルタ１６内に入り、そのフィルタ１６を通って上部ライン３６から空気排出ライン４２を通してドレンライン２８に流れる。これによりＳＳ除去用フィルタ１６に付着した乾燥ケーキは、ＳＳ濾過器１２内の下部に落下し、ケーキ排出用開閉弁４５から排出される。
【００４８】
充液工程；
ケーキ排出用開閉弁４５とケーキ排出用開閉弁４０を閉じ、空気排出用開閉弁４１と排水側ドレン開閉弁３０を開状態に保ち、排水供給用開閉弁２２とヘッダ側開閉弁２４と排水側開閉弁２５を開とする。
【００４９】
排水タンク１０内の排水は、排水ポンプ１８より、排水供給ライン１９、下部ライン２０を通してＳＳ濾過器１２内に充液する。また充液で余剰の排水は上部ライン３６から空気排出用開閉弁４１を通り空気排出ライン４２を通り、ドレンライン２８を通して排水タンク１０に戻される。
【００５０】
フィルタ洗浄工程；
ＳＳ濾過器１２内の充液が完了したならば、排水の供給を停止し、ケーキ排出用開閉弁４０、ヘッダ側開閉弁２４を開とし、空気排出用開閉弁４１と排水側ドレン開閉弁３０を開状態に保つ。これにより空気供給ライン３７からの空気は、ケーキ排出用ライン３９からヘッダライン２３、ヘッダ１７からＳＳ除去用フィルタ１６内に入り、そのフィルタ１６を通って上部ライン３６から空気排出ライン４２を通してドレンライン２８に流れる。このようにＳＳ濾過器１２内を充液した状態で、ＳＳ除去用フィルタ１６内に空気を供給することで、フィルタ１６に残っているＳＳを洗浄除去できる。
【００５１】
このＳＳ除去用フィルタ１６の洗浄は、ＳＳ除去用フィルタ１６の１本毎或いは列毎に行うようにする。すなわち、図では示していないが、ヘッダ側開閉弁２４は、ＳＳ除去用フィルタ１６毎或いは列毎にあり、順次ヘッダ側開閉弁２４を開閉することで、空気による効率的な洗浄が行える。
【００５２】
再充液工程；
ケーキ排出用開閉弁４０、空気排出用開閉弁４１を閉じ、ヘッダ側開閉弁２４を開状態に保ち、上部ドレン用開閉弁４３を開とし、排水側ドレン開閉弁３０を開状態に保ち、排水供給用開閉弁２２を開とする。
【００５３】
排水タンク１０内の排水は、排水ポンプ１８より、排水供給ライン１９、下部ライン２０を通してＳＳ濾過器１２内に充液する。また充液で余剰の排水は、ＳＳ除去用フィルタ１６を通り、ヘッダライン２３から上部ドレンライン４４を通り、ドレンライン２８を通って排水タンク１０に戻される。
【００５４】
プリコート工程；
ヘッダ側開閉弁２４、上部ドレン用開閉弁４３を開状態に保ち、排水側ドレン開閉弁３０を閉じ、プリコート側ドレン開閉弁３１、プリコート開閉弁３５を開とする。
【００５５】
これにより、プリコート剤タンク１４内のプリコート剤スラリ（珪藻土＋水）が、プリコート剤供給ライン３４、下部ライン２０を介して、ＳＳ濾過器１２内に導入され、そのプリコート剤スラリがＳＳ除去用フィルタ１６を通る間にプリコート剤がＳＳ除去用フィルタ１６にコートされると共に、フィルタ１６を通った水が、ヘッダ１７、ヘッダライン２３、上部ドレンライン４４、ドレンライン２８及びプリコート戻しライン２９を通してプリコート剤タンク１４に戻される。
【００５６】
このように、濾過工程で、ＳＳ除去用フィルタ１６に付着したＳＳ分は、ドレン工程、ケーキ乾燥工程、ケーキ排出工程、充液工程、フィルタ洗浄工程、再充液工程、プリコート工程の各工程を経て再度、排水中のＳＳを濾過できるように濾過準備される。
【００５７】
この濾過準備は、ドレン工程からプリコート工程が終わるまで約４時間程度要する。
【００５８】
そこで、図１に示すように切換制御手段５０は、例えば、ＳＳ濾過器１２ａを濾過運転し、そのＳＳ濾過器１２ａが目詰まりした場合に、濾過準備が完了したＳＳ濾過器１２ｂ〜１２ｄに切り換える。この際、切換制御手段５０は、４台のＳＳ濾過器１２ａ〜１２ｄのうち優先順位を与え、例えば、ＳＳ濾過器１２ａを第１位に、ＳＳ濾過器１２ｂを第２位に、ＳＳ濾過器１２ｃを第３位に、ＳＳ濾過器１２ｄを第４位に設定し、ＳＳ濾過器１２ａが目詰まりしたとき、第２位のＳＳ濾過器１２ｂの濾過準備が完了したかを判断し、完了していれば、その第２位のＳＳ濾過器１２ｂで濾過運転を行うように、また濾過準備が完了していなければ、第３位のＳＳ濾過器１２ｃで濾過運転するようになっており、また第１位以外の何れのＳＳ濾過器１２ｂ〜１２ｄが目詰まりしたときには、常に第１位のＳＳ濾過器１２ａから濾過準備が完了したかを判断し、完了していれば、その第１位のＳＳ濾過器１２ａで濾過運転するように切換制御するようになっている。
次に本発明の作用を述べる。
【００５９】
排水タンク１０の排水は、切換制御手段５０にて、ＳＳ濾過器１２ａ〜１２ｄのいずれかに流す。この際、ＳＳ濾過器１２ａ〜１２ｄ中優先順位の高いＳＳ濾過器１２ａに先ず排水を流すようにし、そのＳＳ濾過器１２ａが濾過準備中であれば、次のＳＳ濾過器１２ｂに流すように、さらにそのＳＳ濾過器１２ｂも濾過準備中であればＳＳ濾過器１２ｃに流すようにする。
【００６０】
排水中のＳＳ濃度は、例えば、ボイラ１００％の負荷運転の際には７００〜９００ｐｐｍ、７５％負荷運転では４５０〜５８０ｐｐｍとボイラの負荷状況により変動するが、ＳＳ濾過器１２ａ〜１２ｄでのＳＳの除去は、濾液のＳＳ濃度が一定値、例えば１０ｐｐｍ以下となるようにされる。
【００６１】
ＳＳ濾過器１２ａ〜１２ｄで、濾過された濾液は、合流排水ライン５３に流れ、混合器５４で苛性ソーダが混合され、予熱器５５を通って予熱されてアンモニアストリッピング塔１３の上部に供給され、アンモニアストリッピング塔１３にスチームライン６０を通して供給される蒸気に同伴されるアンモニアガスがオフガスとしてオフガスライン６２から排出される。
【００６２】
アンモニアストリッピング塔１３を流下した液は、その塔１３の下部より硫酸を含む廃液として廃液ライン６３に流れ、廃液ポンプ６４にて予熱器５４を通し、排水処理系６５に排出される。
【００６３】
ＳＳ濾過器１２ａ〜１２ｄでの濾過運転中、目詰まり検出手段４６ａ〜４６ｂで目詰まりを検出したならば、切換制御手段５０は、その運転中のＳＳ濾過器１２ａ〜１２ｄの運転を停止し、濾過準備を終了したＳＳ濾過器１２中、優先順位の高い濾過器１２に排水の流れを切り換える。
【００６４】
目詰まりとなった濾過器１２の濾過準備は、切換制御手段５０が、図２で説明したように開閉弁をそれぞれ設定した時間に基づいて開閉制御して、ドレン工程、ケーキ乾燥工程、ケーキ排出工程、充液工程、フィルタ洗浄工程、再充液工程、プリコート工程の各工程を順次行ってＳＳ除去用フィルタ１６の再生を行う。この濾過準備は、切換制御手段５０に予め各開閉弁の切換手順とその開閉時間がプログラムされており、そのプログラムに従って自動的に行われる。従って、切換制御手段５０は、どの濾過器１２が濾過準備を行っており、その完了時間も判断することができるようになっている。
【００６５】
また、切換制御手段５０は、通常、排水タンク１０内の排水をＳＳ濾過器１２ａ〜１２ｄを通してＳＳを除去した後、アンモニアストリッピング塔１３にその濾過液を流すが、ＳＳ濃度が低いときには、排水を、排水ライン１１より分岐排水ライン７２を介して合流排水ライン５３に流し、混合器５４，予熱器５５を通してアンモニアストリッピング塔１３に供給して、アンモニアを除去した後、その下部の廃液ライン６３より、廃液ポンプ６４にて予熱器５５を通し、排水処理系６５から、排水戻しライン７３にて排水タンク１０に、脱アンモニアした排水が溜められ、その後、排水タンク１０からＳＳ濾過器１２ａ〜１２ｄのいずれかに供給してＳＳを除去する運転も行えるようになっている。
【００６６】
この場合、ＳＳ濾過器１２ａ〜１２ｄのいずれかでＳＳが除去された排水は、排水ライン２６から合流排水ライン５３に流し、その合流排水ライン５３より分岐した分岐排水処理系７５より一部排水し、残りは、ＳＳ濾過器１２ａ〜１２ｄでＳＳが除去された排水を、ヘッダライン２３ａ〜２３ｄより、上部ドレンライン４４ａ〜４４ｄ、ドレンライン２８ａ、２８ｃからプリコート戻しライン２９ａ、２９ｂからプリコート剤タンク１４ａ又は１４ｃに溜め、そのプリコート剤タンク１４ａ、１４ｃからプリコート供給ポンプ３３ａ、３３ｃより、プリコート剤供給ライン３４ａ、３４ｃ、開閉弁７８ａ、７８ｃを介し給液ライン８０により吸収塔に給液するようになっている。
【００６７】
この吸収塔への給液は、濾過器１２ａ、１２ｂと濾過器１２ｃ、１２ｄにそれぞれ、プリコート剤タンク１４ａ，１４ｃがあり、その運転中の濾過器１２ａ、１２ｂ又は濾過器１２ｃ、１２ｄに対応したプリコート剤タンク１４ａ又は１４ｃで濾過準備（プリコート工程）を行っていないときに行う。
【００６８】
このように、ＳＳ濾過器１２ａ〜１２ｄのいずれかで排水中のＳＳを除去し、そのＳＳ除去用フィルタ１６ａ〜１６ｄの目詰まりを目詰まり検出手段４６ａ〜４６ｄで検出し、切換制御手段５０が、濾過運転中に、他のＳＳ濾過器１２ａ〜１２ｄの濾過準備完了の有無を検出することで、直ちに他のＳＳ濾過器１２ａ〜１２ｄに切り換えることができ、フィルタ出口の濾液のＳＳ濃度が安定すると共に濾過準備頻度が安定する。またポンプ類の動力削減効果も期待できる。
【００６９】
【発明の効果】
以上要するに本発明によれば、脱硫排水中のＳＳをＳＳ除去用フィルタで除去することで、効率のよいＳＳ除去が行え、またその目詰まりを検出し、適正なタイミングで、他のＳＳ濾過器に切り換えることで、濾液のＳＳ濃度が安定させることができると共にその濾過準備も安定して行うことができる。
【図面の簡単な説明】
【図１】本発明の一実施の形態を示す図である。
【図２】図１の一台のＳＳ濾過器周りの要部の拡大である。
【符号の説明】
１０  排水タンク
１２ａ〜１２ｄ  ＳＳ濾過器
１６ａ〜１６ｄ  ＳＳ除去用フィルタ
４６ａ〜４６ｄ  目詰まり検出手段
５０  切換制御手段
【図１】
2004261692.tif 000003
【図２】
2004261692.tif 000004